(57)【要約】【課題】ＰＨＩＣＨに対してリソースを適切に割り当てること。【解決手段】本発明に係る無線基地局ｅＮＢは、移動局ＵＥのＰＵＳＣＨにＰＵＳＣＨリソースを割り当てるＰＵＳＣＨリソース割当部１１Ａと、ＰＵＳＣＨリソースの識別情報に基づいて、ＰＨＩＣＨに、第１周波数方向リソース及び第１コード方向リソースを割り当てるＰＨＩＣＨリソース割当部１１Ｂと、移動局ＵＥに対してＰＵＳＣＨリソースを通知する通知部１２とを具備し、ＰＨＩＣＨリソース割当部１１Ｂは、第１周波数方向リソースにおけるコード方向リソースの使用状況が所定条件を満たす場合に、ＰＨＩＣＨに割り当てる周波数方向リソース及びコード方向リソースを第１周波数方向リソース及び第１コード方向リソースから第２周波数方向リソース及び第２コード方向リソースに変更する。【選択図】図２
2010212855.tif 000002
【特許請求の範囲】
【請求項１】
移動局の上りデータ信号を送信する上りデータ信号チャネルに、上りデータ信号チャネルリソースを割り当てるように構成されている上りデータ信号チャネルリソース割当部と、
前記上りデータ信号チャネルリソースの識別情報に基づいて、前記上りデータ信号に対する送達確認信号を送信する送達確認信号チャネルに、第１周波数方向リソース及び第１コード方向リソースを割り当てるように構成されている送達確認信号チャネルリソース割当部と、
前記移動局に対して、前記上りデータ信号チャネルリソースを通知するように構成されている通知部とを具備し、
前記送達確認信号チャネルリソース割当部は、前記第１周波数方向リソースにおけるコード方向リソースの使用状況が、所定条件を満たす場合に、前記送達確認信号チャネルに割り当てる周波数方向リソース及びコード方向リソースを、前記第１周波数方向リソース及び前記第１コード方向リソースから、第２周波数方向リソース及び第２コード方向リソースに変更するように構成されていることを特徴とする無線基地局。
【請求項２】
前記通知部は、前記移動局に対して、前記第２周波数方向リソース及び前記第２コード方向リソースを通知するように構成されていることを特徴とする請求項１に記載の無線基地局。
【請求項３】
前記送達確認信号チャネルに割り当て可能な周波数方向リソースは、複数のリソースエレメントグループによって構成されている送達確認信号チャネルグループであり、
前記送達確認信号チャネルに割り当て可能なコード方向リソースは、前記送達確認信号チャネルグループ内の直交シーケンスであり、
前記送達確認信号チャネルリソース割当部は、前記上りデータ信号チャネルリソースの識別情報に基づいて、前記送達確認信号チャネルに、第１送達確認信号チャネルグループ内の第１直交シーケンスを割り当てるように構成されており、
前記送達確認信号チャネルリソース割当部は、前記第１送達確認信号チャネルグループ内の直交シーケンスの使用状況が、所定条件を満たす場合に、前記送達確認信号チャネルに割り当てる送達確認信号チャネルグループ内の直交シーケンスを、前記第１送達確認信号チャネルグループ内の第１直交シーケンスから、第２送達確認信号チャネルグループ内の第２直交シーケンスに変更するように構成されていることを特徴とする請求項１又は２に記載の無線基地局。
【請求項４】
前記第１送達確認信号チャネルグループ内の直交シーケンスの使用数が、所定数以上となった場合に、前記送達確認信号チャネルリソース割当部は、前記送達確認信号チャネルに割り当てる送達確認信号チャネルグループ及び直交シーケンスを変更するように構成されていることを特徴とする請求項３に記載の無線基地局。
【請求項５】
前記第１送達確認信号チャネルグループ内の前記第１直交シーケンスが、既に他の送達確認信号チャネルに割り当てられている場合に、前記送達確認信号チャネルリソース割当部は、前記送達確認信号チャネルに割り当てる送達確認信号チャネルグループ及び直交シーケンスを変更するように構成されていることを特徴とする請求項３に記載の無線基地局。
【請求項６】
変更対象の第１送達確認信号チャネルグループ内の第１直交シーケンスが複数存在する場合、前記送達確認信号チャネルリソース割当部は、既に他の送達確認信号チャネルに割り当てられている第１送達確認信号チャネルグループ内の第１直交シーケンスを優先的に変更するように構成されていることを特徴とする請求項３に記載の無線基地局。
【請求項７】
変更対象の第１送達確認信号チャネルグループ内の第１直交シーケンスが複数存在する場合、前記送達確認信号チャネルリソース割当部は、直交シーケンスの使用数が最も多い第１送達確認信号チャネルグループ内の第１直交シーケンスを優先的に変更するように構成されていることを特徴とする請求項３に記載の無線基地局。
【請求項８】
前記直交シーケンスは、前記送達確認信号チャネルグループ内でＩ相及びＱ相に多重可能であり、
変更対象の第１送達確認信号チャネルグループ内の第１直交シーケンスが複数存在する場合、前記送達確認信号チャネルリソース割当部は、直交シーケンスがＩ相及びＱ相に多重されている第１送達確認信号チャネルグループ内の第１直交シーケンスを優先的に変更するように構成されていることを特徴とする請求項３に記載の無線基地局。
【請求項９】
変更対象の第１送達確認信号チャネルグループ内の第１直交シーケンスが複数存在する場合、前記送達確認信号チャネルリソース割当部は、送信電力の合計値が最も大きい第１送達確認信号チャネルグループ内の第１直交シーケンスを優先的に変更するように構成されていることを特徴とする請求項３に記載の無線基地局。
【請求項１０】
前記送達確認信号チャネルリソース割当部は、送信電力の合計値が最も小さい送達確認信号チャネルグループを、前記第２送達確認信号チャネルグループとするように構成されていることを特徴とする請求項３に記載の無線基地局。
【請求項１１】
前記送達確認信号チャネルリソース割当部は、前記第１送達確認信号チャネルグループ内の前記第１直交シーケンスを変更した場合に、直交シーケンスのＩ相及びＱ相への多重が発生する送達確認信号チャネルグループを、前記第２送達確認信号チャネルグループとしないように構成されていることを特徴とする請求項３に記載の無線基地局。
【請求項１２】
前記送達確認信号チャネルリソース割当部は、前記第１送達確認信号チャネルグループ内の前記第１直交シーケンスを変更した場合に、既に他の送達確認信号チャネルに割り当てられている直交シーケンスへの衝突が発生する送達確認信号チャネルグループを、前記第２送達確認信号チャネルグループとしないように構成されていることを特徴とする請求項３に記載の無線基地局。
【請求項１３】
送達確認信号チャネルリソース割当部は、前記上りデータ信号の再送に用いられる前記上りデータ信号チャネルリソースの識別情報に基づいて、再送された該上りデータ信号に対する送達確認信号を送信する送達確認信号チャネルに、前記第１周波数方向リソース及び前記第１コード方向リソースを割り当てるように構成されていることを特徴とする請求項１乃至１２のいずれか一項に記載の無線基地局。
【発明の詳細な説明】
【技術分野】
【０００１】
本発明は、無線基地局に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、無線基地局ｅＮＢは、ＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ、送達確認信号チャネル）を介して、移動局ＵＥに対して、かかる移動局ＵＥによってＰＵＳＣＨ（Ｐｈｙｓｉｃａｌ  Ｕｐｌｉｎｋ  Ｓｈａｒｅｄ  Ｃｈｅｎｎｅｌ、上りデータ信号チャネル）を介して送信された上りデータ信号に対する送達確認信号（ＡＣＫ/ＮＡＣＫ）を送信するように構成されている。
【先行技術文献】
【非特許文献】
【０００３】
【非特許文献１】３ＧＰＰ  ＴＳ３６.２１１、“Ｐｈｙｓｉｃａｌ  ｃｈａｎｎｅｌ  Ｃｈａｎｎｅｌｓ  ａｎｄ  Ｍｏｄｕｌａｔｉｏｎ”
【非特許文献２】３ＧＰＰ  ＴＳ３６.２１３、“Ｐｈｙｓｉｃａｌ  ｌａｙｅｒ  ｐｒｏｃｅｄｕｒｅｓ”
【発明の概要】
【発明が解決しようとする課題】
【０００４】
しかしながら、３ＧＰＰでは、かかるＰＨＩＣＨへのリソースの割り当て方法について規定されていないため、上述の移動通信システムにおいて、ＰＨＩＣＨに対してリソースが適切に割り当てられない可能性があるという問題点があった。
【０００５】
そこで、本発明は、上述の課題に鑑みてなされたものであり、ＰＨＩＣＨに対してリソースを適切に割り当てることができる無線基地局を提供することを目的とする。
【課題を解決するための手段】
【０００６】
本発明の第１の特徴は、無線基地局であって、移動局の上りデータ信号を送信する上りデータ信号チャネルに、上りデータ信号チャネルリソースを割り当てるように構成されている上りデータ信号チャネルリソース割当部と、前記上りデータ信号チャネルリソースの識別情報に基づいて、前記上りデータ信号に対する送達確認信号を送信する送達確認信号チャネルに、第１周波数方向リソース及び第１コード方向リソースを割り当てるように構成されている送達確認信号チャネルリソース割当部と、前記移動局に対して、前記上りデータ信号チャネルリソースを通知するように構成されている通知部とを具備し、前記送達確認信号チャネルリソース割当部は、前記第１周波数方向リソースにおけるコード方向リソースの使用状況が、所定条件を満たす場合に、前記送達確認信号チャネルに割り当てる周波数方向リソース及びコード方向リソースを、前記第１周波数方向リソース及び前記第１コード方向リソースから、第２周波数方向リソース及び第２コード方向リソースに変更するように構成されていることを要旨とする。
【発明の効果】
【０００７】
以上説明したように、本発明によれば、ＰＨＩＣＨに対してリソースを適切に割り当てることができる無線基地局を提供することができる。
【図面の簡単な説明】
【０００８】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によるＰＨＩＣＨ用リソースの割り当て方法について説明するための図である。
【図４】本発明の第１の実施形態に係る無線基地局で用いられるＰＨＩＣＨグループの概念について説明するための図である。
【図５】本発明の第１の実施形態に係る無線基地局で用いられるＰＨＩＣＨシーケンスの概念について説明するための図である。
【図６】本発明の第１の実施形態に係る無線基地局によるＰＨＩＣＨ用リソースの割り当て方法について説明するための図である。
【図７】本発明の第１の実施形態に係る無線基地局によるＰＨＩＣＨ用リソースの割り当て方法について説明するための図である。
【図８】本発明の第１の実施形態に係る無線基地局によるＰＨＩＣＨ用リソースの割り当て方法について説明するための図である。
【図９】本発明の第１の実施形態に係る無線基地局によるＰＨＩＣＨ用リソースの割り当て方法について説明するための図である。
【図１０】本発明の第１の実施形態に係る無線基地局の動作を示すフローチャートである。
【図１１】本発明の変更例１に係る無線基地局によるＰＨＩＣＨ用リソースの割り当て方法について説明するための図である。
【発明を実施するための形態】
【０００９】
（本発明の第１の実施形態に係る移動通信システムの構成）
図１乃至図９を参照して、本発明の第１の実施形態に係る移動通信システムの構成について説明する。
【００１０】
本実施形態に係る移動通信システムは、ＬＴＥ方式の移動通信システムであって、本実施形態に係る移動通信システムでは、図１に示すように、移動局ＵＥが、ＰＵＳＣＨを介して、無線基地局ｅＮＢに対して、上りデータ信号を送信し、無線基地局ｅＮＢが、ＰＨＩＣＨを介して、かかる上りデータ信号に対する送達確認信号（ＡＣＫ/ＮＡＣＫ）を送信するように構成されている。
【００１１】
また、無線基地局ｅＮＢが、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、移動局ＵＥに対して、下り制御信号を送信するように構成されている。
【００１２】
図２に示すように、無線基地局ｅＮＢは、ＰＵＳＣＨリソース割当部１１Ａと、ＰＨＩＣＨリソース割当部１１Ｂと、ＰＤＣＣＨ送信部１２と、ＰＵＳＣＨ受信部１３と、ＰＨＩＣＨ送信部１４とを具備している。
【００１３】
ＰＵＳＣＨリソース割当部１１Ａは、ＰＵＳＣＨに、ＰＵＳＣＨリソース（上りデータ信号チャネルリソース）を割り当てるように構成されている。
【００１４】
例えば、ＰＵＳＣＨリソース割当部１１Ａは、かかるＰＵＳＣＨに、時間方向リソースとしてのサブフレームや、周波数方向リソースとしてのリソースブロック（ＲＢ：Ｒｅｓｏｕｒｃｅ  Ｂｌｏｃｋ）を割り当てるように構成されている。
【００１５】
ここで、リソースブロックは、７個のＯＤＦＭシンボル及び１２個のサブキャリアによって構成されている。
【００１６】
ＰＨＩＣＨリソース割当部１１Ｂは、ＰＨＩＣＨに、周波数方向リソース及びコード方向リソースを含むリソースを割り当てるように構成されている。
【００１７】
図３（ａ）及び図３（ｂ）に示すように、ＰＨＩＣＨリソース割当部１１Ｂは、ＰＨＩＣＨに、各サブフレーム内の先頭の１個のＯＦＤＭシンボル（ＰＨＩＣＨ区間＝１の場合、すなわち、Ｎｏｒｍａｌ  Ｄｕｒａｔｉｏｎの場合）、或いは、各サブフレーム内の先頭の３個のＯＦＤＭシンボル（ＰＨＩＣＨ区間＝３、すなわち、Ｅｘｔｅｎｄｅｄ  Ｄｕｒａｔｉｏｎの場合）内のリソースを割り当てるように構成されている。
【００１８】
ＰＨＩＣＨに割り当て可能な周波数方向リソースは、図４に示すように、複数のリソースエレメントグループ（例えば、３個のリソースエレメントグループ）によって構成されているＰＨＩＣＨグループ（送達確認信号チャネルグループ）である。
【００１９】
ここで、リソースエレメントグループ（ＲＥＧ：Ｒｅｓｏｕｒｃｅ  Ｅｌｅｍｅｎｔ  Ｇｒｏｕｐ）は、４個の連続するリソースエレメント（ＲＥ：Ｒｅｓｏｕｒｃｅ  Ｅｌｅｍｅｎｔ）によって構成されている。また、リソースエレメントは、１個のＯＦＤＭシンボルと、１個のサブキャリアとによって構成されている。
【００２０】
ＰＨＩＣＨグループの数ＮＰＨＩＣＨｇｒｏｕｐは、（式１）によって決定される。
【数１】
2010212855.tif 000003
【００２１】
ここで、ＮＲＢＤＬは、システム帯域幅内のリソースブロックの数であり、Ｎｇは、ＰＨＩＣＨグループの数を決定するためのパラメータ（例えば、１/６、１/２、１、２）である。
【００２２】
例えば、システム帯域幅が「５ＭＨｚ」であり、Ｎｏｒｍａｌ  Ｃｙｃｌｉｃ  Ｐｒｅｆｉｘが用いられている場合、ＮＲＢＤＬが「２５」であるため、Ｎｇを「１」とした場合には、ＰＨＩＣＨグループ数は「４」となる。
【００２３】
また、システム帯域幅が「２０ＭＨｚ」であり、Ｎｏｒｍａｌ  Ｃｙｃｌｉｃ  Ｐｒｅｆｉｘが用いられている場合、ＮＲＢＤＬが「１００」であるため、Ｎｇを「１/６」とした場合には、ＰＨＩＣＨグループの数は「３」となる。
【００２４】
図４の例では、ＰＨＩＣＨグループの数ＮＰＨＩＣＨｇｒｏｕｐが「３」の場合を示している。以下では、説明の簡略化のため、ＰＨＩＣＨグループの数は、一例として「３」であるものと仮定する。
【００２５】
なお、ＰＨＩＣＨグループは、図３（ａ）及び図３（ｂ）に示すように、周波数ダイバーシチゲインを得るために、システム帯域幅全体に渡って、ほぼ等間隔でマッピングされるように構成されている。
【００２６】
また、ＰＨＩＣＨに割り当て可能なコード方向リソースは、ＰＨＩＣＨグループ内の直交シーケンス（例えば、Ｗａｌｓｈ  Ｈａｄａｍａｒｄシーケンス）である。
【００２７】
かかる直交シーケンス（ＰＨＩＣＨシーケンスとも呼ぶ）は、ＰＨＩＣＨグループ内でＩ相及びＱ相に多重可能である（Ｉ/Ｑ多重が可能である）。具体的には、図５に示すように、ＰＨＩＣＨグループ内で、Ｉ相及びＱ相のそれぞれに、ＮＳＦＰＨＩＣＨ個のＰＨＩＣＨシーケンスが多重可能である。例えば、ＮＳＦＰＨＩＣＨは、以下の通りである。
【数２】
2010212855.tif 000004
【００２８】
すなわち、ＰＨＩＣＨに割り当てられるリソース（ＰＨＩＣＨリソース）は、ＰＨＩＣＨグループを識別するＰＨＩＣＨグループ番号及びＰＨＩＣＨシーケンスを識別するＰＨＩＣＨシーケンス番号によって特定される。
【００２９】
また、ＰＨＩＣＨリソース割当部１１Ｂは、ＰＵＳＣＨリソースにおけるリソースブロックを識別するリソースブロック番号（上りデータ信号チャネルリソースの識別情報）に基づいて、ＰＨＩＣＨに、第１周波数方向リソース及び第１コード方向リソースを割り当てるように構成されている。
【００３０】
具体的には、ＰＨＩＣＨリソース割当部１１Ｂは、ＰＵＳＣＨに周波数方向リソースとして割り当てられるリソースブロックを識別するリソースブロック番号のうち最も小さいリソースブロック番号（ＲＢインデックス）に基づいて、ＰＨＩＣＨに割り当てるリソースを決定する。
【００３１】
例えば、図６に示すように、ＰＨＩＣＨリソース割当部１１Ｂは、移動局ＵＥ＃１のＰＵＳＣＨに周波数方向リソースとして割り当てられるリソースブロックを識別するリソースブロック番号＃０乃至＃２のうちの最も小さいリソースブロック番号＃０に基づいて、移動局ＵＥ＃１のＰＨＩＣＨに割り当てるリソースを決定する。
【００３２】
また、ＰＨＩＣＨリソース割当部１１Ｂは、移動局ＵＥ＃２のＰＵＳＣＨに周波数方向リソースとして割り当てられるリソースブロックを識別するリソースブロック番号＃３乃至＃６のうちの最も小さいリソースブロック番号＃３に基づいて、移動局ＵＥ＃２のＰＨＩＣＨに割り当てるリソースを決定する。
【００３３】
また、ＰＨＩＣＨリソース割当部１１Ｂは、移動局ＵＥ＃３のＰＵＳＣＨに周波数方向リソースとして割り当てられるリソースブロックを識別するリソースブロック番号＃７乃至＃１１のうちの最も小さいリソースブロック番号＃７に基づいて、移動局ＵＥ＃３のＰＨＩＣＨに割り当てるリソースを決定する。
【００３４】
また、ＰＨＩＣＨリソース割当部１１Ｂは、移動局ＵＥ＃４のＰＵＳＣＨに周波数方向リソースとして割り当てられるリソースブロックを識別するリソースブロック番号＃１２乃至＃１５のうちの最も小さいリソースブロック番号＃１２に基づいて、移動局ＵＥ＃４のＰＨＩＣＨに割り当てるリソースを決定する。
【００３５】
さらに、ＰＨＩＣＨリソース割当部１１Ｂは、移動局ＵＥ＃５のＰＵＳＣＨに周波数方向リソースとして割り当てられるリソースブロックを識別するリソースブロック番号＃１６乃至＃１８のうちの最も小さいリソースブロック番号＃１６に基づいて、移動局ＵＥ＃５のＰＨＩＣＨに割り当てるリソースを決定する。
【００３６】
図７に示すように、ＰＨＩＣＨリソース割当部１１Ｂは、移動局ＵＥ＃１のＰＨＩＣＨに、第１周波数方向リソース及び第１コード方向リソースとして、リソースブロック番号＃０に対応するＰＨＩＣＨグループ＃０及びＰＨＩＣＨシーケンス＃０を割り当てるように構成されている。
【００３７】
また、ＰＨＩＣＨリソース割当部１１Ｂは、移動局ＵＥ＃２のＰＨＩＣＨに、第１周波数方向リソース及び第１コード方向リソースとして、リソースブロック番号＃３に対応するＰＨＩＣＨグループ＃０及びＰＨＩＣＨシーケンス＃１を割り当てるように構成されている。
【００３８】
また、ＰＨＩＣＨリソース割当部１１Ｂは、移動局ＵＥ＃３のＰＨＩＣＨに、第１周波数方向リソース及び第１コード方向リソースとして、リソースブロック番号＃７に対応するＰＨＩＣＨグループ＃１及びＰＨＩＣＨシーケンス＃２を割り当てるように構成されている。
【００３９】
また、ＰＨＩＣＨリソース割当部１１Ｂは、移動局ＵＥ＃４のＰＨＩＣＨに、第１周波数方向リソース及び第１コード方向リソースとして、リソースブロック番号＃１２に対応するＰＨＩＣＨグループ＃０及びＰＨＩＣＨシーケンス＃４を割り当てるように構成されている。
【００４０】
さらに、ＰＨＩＣＨリソース割当部１１Ｂは、移動局ＵＥ＃５のＰＨＩＣＨに、第１周波数方向リソース及び第１コード方向リソースとして、リソースブロック番号＃１６に対応するＰＨＩＣＨグループ＃１及びＰＨＩＣＨシーケンス＃５を割り当てるように構成されている。
【００４１】
このように、ＰＨＩＣＨに割り当てられるリソース（ＰＨＩＣＨグループ及びＰＨＩＣＨシーケンス）は、ＰＵＳＣＨに割り当てられるリソースブロックを識別するリソースブロック番号のうちの最も小さいリソースブロック番号に基づいて決定されるように構成されている。
【００４２】
ただし、ＰＨＩＣＨに割り当てられるリソース（ＰＨＩＣＨグループ及びＰＨＩＣＨシーケンス）は、ＰＤＣＣＨを介して通知され得るＰＵＳＣＨ信号（上りデータ信号）を復調するための「Ｄｅｍｏｄｕｌａｔｉｏｎ  Ｒｅｆｅｒｅｎｃｅ  Ｓｉｇｎａｌ」のサイクリックシフトインデックス（Ｃｙｃｌｉｃ  Ｓｈｉｆｔ  Ｉｎｄｅｘ）によって変更可能である。なお、前記の例は、サイクリックシフトインデックスが「０」である場合を仮定している。
【００４３】
具体的には、サイクリックシフトインデックスが「ｎ」だけ増えるごとに、ＰＨＩＣＨグループ番号及びＰＨＩＣＨシーケンス番号が「ｎ」だけ増える。
【００４４】
例えば、図８に示すように、ＰＵＳＣＨに割り当てられるリソースブロックを識別するリソースブロック番号のうちの最も小さいリソースブロック番号が「０」であり、かつ、サイクリックシフトインデックスが「０」である場合、ＰＨＩＣＨに、ＰＨＩＣＨグループ＃０及びＰＨＩＣＨシーケンス＃０が割り当てられる。
【００４５】
これに対して、ＰＵＳＣＨに割り当てられるリソースブロックを識別するリソースブロック番号のうちの最も小さいリソースブロック番号が「０」であり、かつ、サイクリックシフトインデックスが「１」である場合、ＰＨＩＣＨに、ＰＨＩＣＨグループ＃１及びＰＨＩＣＨシーケンス＃１が割り当てられる。
【００４６】
また、ＰＵＳＣＨに割り当てられるリソースブロックを識別するリソースブロック番号のうちの最も小さいリソースブロック番号が「１７」であり、かつ、サイクリックシフトインデックスが「０」である場合、ＰＨＩＣＨに、ＰＨＩＣＨグループ＃２及びＰＨＩＣＨシーケンス＃５が割り当てられる。
【００４７】
これに対して、ＰＵＳＣＨに割り当てられるリソースブロックを識別するリソースブロック番号のうちの最も小さいリソースブロック番号が「１７」であり、かつ、サイクリックシフトインデックスが「２」である場合、ＰＨＩＣＨに、ＰＨＩＣＨグループ＃１及びＰＨＩＣＨシーケンス＃７が割り当てられる。
【００４８】
このようなサイクリックシフトによるＰＨＩＣＨに割り当てられるリソースの変更は、１つのＰＨＩＣＨリソースが、複数のＰＨＩＣＨに対して割り当てられる事態（ＰＨＩＣＨリソースの衝突）を回避するために使用されることが想定される。
【００４９】
例えば、移動局ＵＥ＃１のＰＵＳＣＨに割り当てられるリソースブロックを識別するリソースブロック番号のうちの最も小さいリソースブロック番号が「０」であり、かつ、移動局ＵＥ＃２のＰＵＳＣＨに割り当てられるリソースブロックを識別するリソースブロック番号のうちの最も小さいリソースブロック番号が「２４」である場合には、移動局ＵＥ＃１のＰＨＩＣＨ及び移動局ＵＥ＃２のＰＨＩＣＨの両方に、ＰＨＩＣＨグループ＃０及びＰＨＩＣＨシーケンス＃０が割り当てられてしまうため、サイクリックシフトによってＰＨＩＣＨリソースの変更によって、かかるＰＨＩＣＨリソースの衝突を回避することができる。
【００５０】
ここで、ＰＨＩＣＨリソース割当部１１Ｂは、ＰＨＩＣＨグループ（第１周波数方向リソース）におけるＰＨＩＣＨシーケンス（コード方向リソース）の使用状況が、所定条件を満たす場合に、上述のサイクリックシフトによって、ＰＨＩＣＨに割り当てるＰＨＩＣＨグループ及びＰＨＩＣＨシーケンスを、第１周波数方向リソース及び第１コード方向リソースから、第２周波数方向リソース及び第２コード方向リソースに変更するように構成されている。
【００５１】
図８の例に示すように、ＰＨＩＣＨリソース割当部１１Ｂは、ＰＨＩＣＨグループ＃０（第１周波数方向リソース）内のＰＨＩＣＨシーケンス（コード方向リソース）の使用状況が、所定条件を満たす場合に、上述のサイクリックシフトによって、ＰＨＩＣＨに割り当てるＰＨＩＣＨグループ内のＰＨＩＣＨシーケンスを、ＰＨＩＣＨグループ＃０（第１周波数方向リソース）内のＰＨＩＣＨシーケンス＃０（第１コード方向リソース）から、ＰＨＩＣＨグループ＃１（第２周波数方向リソース）内のＰＨＩＣＨシーケンス＃１（第２コード方向リソース）に変更するように構成されていてもよい。
【００５２】
また、図８の例に示すように、ＰＨＩＣＨリソース割当部１１Ｂは、ＰＨＩＣＨグループ＃２（第１周波数方向リソース）におけるＰＨＩＣＨシーケンス（コード方向リソース）の使用状況が、所定条件を満たす場合に、上述のサイクリックシフトによって、ＰＨＩＣＨに割り当てるＰＨＩＣＨグループ及びＰＨＩＣＨシーケンスを、ＰＨＩＣＨグループ＃２（第１周波数方向リソース）及びＰＨＩＣＨシーケンス＃５（第１コード方向リソース）から、ＰＨＩＣＨグループ＃１（第２周波数方向リソース）及びＰＨＩＣＨシーケンス＃７（第２コード方向リソース）に変更するように構成されていてもよい。
【００５３】
ここで、第１ＰＨＩＣＨグループ（例えば、ＰＨＩＣＨグループ＃０）内のＰＨＩＣＨシーケンスの使用数が、所定数以上となった場合に、ＰＨＩＣＨリソース割当部１１Ｂは、ＰＨＩＣＨに割り当てるＰＨＩＣＨグループ内のＰＨＩＣＨシーケンスを、第１ＰＨＩＣＨグループ（例えば、ＰＨＩＣＨグループ＃０）内の第１ＰＨＩＣＨシーケンス（ＰＨＩＣＨシーケンス＃０）から、第２ＰＨＩＣＨグループ（例えば、ＰＨＩＣＨグループ＃１）内の第２ＰＨＩＣＨシーケンス（ＰＨＩＣＨシーケンス＃１）に変更するように構成されていてもよい。
【００５４】
また、第１ＰＨＩＣＨグループ（例えば、ＰＨＩＣＨグループ＃０）内のＰＨＩＣＨシーケンスが、既に他のＰＨＩＣＨに割り当てられている場合に、ＰＨＩＣＨリソース割当部１１Ｂは、ＰＨＩＣＨに割り当てるＰＨＩＣＨグループ内のＰＨＩＣＨシーケンスを、第１ＰＨＩＣＨグループ（例えば、ＰＨＩＣＨグループ＃０）内の第１ＰＨＩＣＨシーケンス（ＰＨＩＣＨシーケンス＃０）から、第２ＰＨＩＣＨグループ（例えば、ＰＨＩＣＨグループ＃１）内の第２ＰＨＩＣＨシーケンス（ＰＨＩＣＨシーケンス＃１）に変更するように構成されていてもよい。
【００５５】
さらに、上述のような変更対象の第１ＰＨＩＣＨグループ内の第１ＰＨＩＣＨシーケンスが複数存在する場合（例えば、ＰＨＩＣＨグループ＃０内のＰＨＩＣＨシーケンス＃０及びＰＨＩＣＨグループ＃２内のＰＨＩＣＨシーケンス＃５）、ＰＨＩＣＨリソース割当部１１Ｂは、既に他のＰＨＩＣＨに割り当てられている第１ＰＨＩＣＨグループ内の第１ＰＨＩＣＨシーケンス（例えば、ＰＨＩＣＨグループ＃０内のＰＨＩＣＨシーケンス＃０）を優先的に変更するように構成されていてもよい。
【００５６】
また、上述のような変更対象の第１ＰＨＩＣＨグループ内の第１ＰＨＩＣＨシーケンスが複数存在する場合（例えば、ＰＨＩＣＨグループ＃０内のＰＨＩＣＨシーケンス＃０及びＰＨＩＣＨグループ＃２内のＰＨＩＣＨシーケンス＃５）、ＰＨＩＣＨリソース割当部１１Ｂは、ＰＨＩＣＨシーケンスの使用数が最も多い第１ＰＨＩＣＨグループ内の第１ＰＨＩＣＨシーケンス（例えば、ＰＨＩＣＨグループ＃０内のＰＨＩＣＨシーケンス＃０）を優先的に変更するように構成されていてもよい。
【００５７】
また、上述のような変更対象の第１ＰＨＩＣＨグループ内の第１ＰＨＩＣＨシーケンスが複数存在する場合（例えば、ＰＨＩＣＨグループ＃０内のＰＨＩＣＨシーケンス＃０及びＰＨＩＣＨグループ＃２内のＰＨＩＣＨシーケンス＃５）、ＰＨＩＣＨリソース割当部１１Ｂは、ＰＨＩＣＨシーケンスがＩ相及びＱ相に多重されている第１ＰＨＩＣＨグループ内の第１ＰＨＩＣＨシーケンス（例えば、ＰＨＩＣＨグループ＃０内のＰＨＩＣＨシーケンス＃０）を優先的に変更するように構成されていてもよい。
【００５８】
さらに、上述のような変更対象の第１ＰＨＩＣＨグループ内の第１ＰＨＩＣＨシーケンスが複数存在する場合（例えば、ＰＨＩＣＨグループ＃０内のＰＨＩＣＨシーケンス＃０及びＰＨＩＣＨグループ＃２内のＰＨＩＣＨシーケンス＃５）、ＰＨＩＣＨリソース割当部は、送信電力の合計値が最も大きい第１ＰＨＩＣＨグループ内の第１ＰＨＩＣＨシーケンス（例えば、ＰＨＩＣＨグループ＃０内のＰＨＩＣＨシーケンス＃０）を優先的に変更するように構成されていてもよい。
【００５９】
また、ＰＨＩＣＨリソース割当部１１Ｂは、送信電力の合計値が最も小さいＰＨＩＣＨグループ（例えば、ＰＨＩＣＨグループ＃１）を、上述の変更先のＰＨＩＣＨグループ（第２ＰＨＩＣＨグループ）とするように構成されていてもよい。
【００６０】
なお、ＰＨＩＣＨリソース割当部１１Ｂは、第１ＰＨＩＣＨグループ内の第１ＰＨＩＣＨシーケンスを変更した場合に、ＰＨＩＣＨシーケンスのＩ/Ｑ多重が発生するＰＨＩＣＨグループを、上述の変更先のＰＨＩＣＨグループ（第２ＰＨＩＣＨグループ）としないように構成されていてもよい。
【００６１】
また、ＰＨＩＣＨリソース割当部１１Ｂは、第１ＰＨＩＣＨグループ内の第１ＰＨＩＣＨシーケンスを変更した場合に、既に他のＰＨＩＣＨに割り当てられているＰＨＩＣＨシーケンスへの衝突が発生するＰＨＩＣＨグループを、上述の変更先のＰＨＩＣＨグループ（第２ＰＨＩＣＨグループ）としないように構成されていてもよい。
【００６２】
ＰＤＣＣＨ送信部１２は、ＰＤＣＣＨを介して、移動局ＵＥに対して、下り制御信号を送信するように構成されている。
【００６３】
具体的には、ＰＤＣＣＨ送信部１２は、ＰＤＣＣＨを介して、移動局ＵＥに対して、上りスケジューリング信号「ＵＬ  ｓｃｈｅｄｕｌｉｎｇ  ｇｒａｎｔ」を送信するように構成されている。
【００６４】
例えば、ＰＤＣＣＨ送信部１２は、移動局ＵＥに対して、上りスケジューリング信号「ＵＬ  ｓｃｈｅｄｕｌｉｎｇ  ｇｒａｎｔ」によって、ＰＵＳＣＨリソース割当部１１Ａによって割り当てられたＰＵＳＣＨリソース（例えば、サブフレーム及びリソースブロック、変調方式、符号化率等）を通知するように構成されている。
【００６５】
また、ＰＤＣＣＨ送信部１２は、移動局ＵＥに対して、ＰＨＩＣＨリソース割当部１１Ｂによって変更されたＰＨＩＣＨグループ（第２周波数方向リソース）及びＰＨＩＣＨシーケンス（第２コード方向リソース）を通知するように構成されていてもよい。
【００６６】
具体的には、ＰＤＣＣＨ送信部１２は、サイクリックシフトによってＰＨＩＣＨグループ及びＰＨＩＣＨシーケンスが変更された場合、移動局ＵＥに対して、上りスケジューリング信号「ＵＬ  ｓｃｈｅｄｕｌｉｎｇ  ｇｒａｎｔ」によって、かかるサイクリックシフトインデックスを通知するように構成されていてもよい。
【００６７】
ＰＵＳＣＨ受信部１３は、ＰＵＳＣＨを介して移動局ＵＥによって送信された上りデータ信号を受信するように構成されている。
【００６８】
ＰＨＩＣＨ送信部１４は、移動局ＵＥに対して、ＰＵＳＣＨ受信部１３によって受信された上りデータ信号に対する送達確認信号（ＡＣＫ/ＮＡＣＫ）を送信するように構成されている。
【００６９】
例えば、図９に示すように、サブフレーム＃ｎにおいて、ＰＤＣＣＨ送信部１２は、ＰＤＣＣＨを介して、移動局ＵＥに対して、上りスケジューリング信号「ＵＬ  ｓｃｈｅｄｕｌｉｎｇ  ｇｒａｎｔ」を送信する。
【００７０】
ただし、上りデータ信号の再送時で、上りスケジューリング信号「ＵＬ  ｓｃｈｅｄｕｌｉｎｇ  ｇｒａｎｔ」の送信が不要である場合には、サブフレーム＃ｎにおいて、ＰＨＩＣＨ送信部１４が、ＰＨＩＣＨを介して、移動局ＵＥに対して、ＮＡＣＫを送信する。
【００７１】
サブフレーム＃ｎ＋４において、ＰＵＳＣＨ受信部１３は、ＰＵＳＣＨを介して、かかる上りスケジューリング信号「ＵＬ  ｓｃｈｅｄｕｌｉｎｇ  ｇｒａｎｔ」に従って移動局ＵＥによって送信された上りデータ信号を受信する。
【００７２】
サブフレーム＃ｎ＋８において、ＰＨＩＣＨ送信部１４が、ＰＨＩＣＨを介して、移動局ＵＥに対して、ＰＵＳＣＨ受信部１３によって受信された上りデータ信号に対する送達確認信号（ＡＣＫ/ＮＡＣＫ）を送信する。
【００７３】
したがって、ＰＨＩＣＨリソース割当部１１Ｂは、サブフレーム＃ｎ＋４において移動局ＵＥによって送信される上りデータ信号を送信するためのＰＵＳＣＨに割り当てられたリソースブロックを考慮して、サブフレーム＃ｎ＋８において送達確認信号を送信するためのＰＨＩＣＨに割り当てるリソースを決定する。
【００７４】
なお、サブフレーム＃ｎにおいて、ＰＤＣＣＨ送信部１２は、移動局ＵＥに対して、ＰＨＩＣＨリソースの決定に用いるサイクリックシフトインデックスについて通知する。
【００７５】
（本発明の第１の実施形態に係る移動通信システムの動作）
以下、図１０を参照して、本実施形態に係る移動通信システムの動作について、具体的には、本実施形態に係る無線基地局ｅＮＢの動作について説明する。
【００７６】
図１０に示すように、ステップＳ１０１において、無線基地局ｅＮＢは、デフォルトのサイクリックシフトインデックス（サイクリックシフト量）を決定する。
【００７７】
ここで、上りデータ信号の初送の場合（すなわち、上りスケジューリング信号「ＵＬ  ｓｃｈｅｄｕｌｉｎｇ  ｇｒａｎｔ」が送信される場合）のサイクリックシフトインデックスｎＤＭＲＳは「０」であり、上りデータ信号の再送の場合のサイクリックシフトインデックスｎＤＭＲＳは、同一のＨＡＲＱプロセスの直近の上りスケジューリング信号「ＵＬ  ｓｃｈｅｄｕｌｉｎｇ  ｇｒａｎｔ」で通知されたサイクリックシフトインデックスｎＤＭＲＳと同一である。
【００７８】
ステップＳ１０２において、無線基地局ｅＮＢは、ＰＵＳＣＨに割り当てられるリソースブロックを識別するリソースブロック番号のうちの最も小さいリソースブロック番号及びステップＳ１０１において決定されたサイクリックシフトインデックスｎＤＭＲＳに基づいて決定されるＰＨＩＣＨリソース（ＰＨＩＣＨグループ及びＰＨＩＣＨシーケンス）を、各ＰＨＩＣＨに割り当てる。
【００７９】
ステップＳ１０３において、無線基地局ｅＮＢは、各ＰＨＩＣＨグループにおけるＰＨＩＣＨシーケンスの使用数（多重数）をチェックし、（式２）によって、各ＰＨＩＣＨグループで使用されているＰＨＩＣＨシーケンスの平均値Ｎｔｍｐを算出する。
【数３】
2010212855.tif 000005
【００８０】
ここで、ＮＰＨＩＣＨｇｒｏｕｐは、ＰＨＩＣＨグループの数であり、Ｎｍｕｌｔｉｐｌｅｘｅｄは、該当するサブフレームでリソースが割り当てられるＰＨＩＣＨの数を示す。
【００８１】
ステップＳ１０４において、無線基地局ｅＮＢは、Ｆｌａｇに「０」を設定する。
【００８２】
ステップＳ１０５において、無線基地局ｅＮＢは、リソース割り当て制御判定条件において、条件１又は条件２のいずれかを満たすか否かについて判定する。
【００８３】
ここで、条件１は、「ＰＨＩＣＨにおけるＰＨＩＣＨシーケンスの使用数が、Ｎｔｍｐ以上であるＰＨＩＣＨグループが存在し、かつ、ＰＨＩＣＨにおけるＰＨＩＣＨシーケンスの使用数が、（Ｎｔｍｐ−２）以下であるＰＨＩＣＨグループが存在すること」である。
【００８４】
また、条件２は、「ステップＳ１０１の時点で、ＰＨＩＣＨリソースの衝突が発生しているＰＨＩＣＨグループが存在すること、すなわち、複数のＰＨＩＣＨに同一のＰＨＩＣＨシーケンスが割り当てられているＰＨＩＣＨグループが存在すること」である。
【００８５】
ステップＳ１０５において「ＹＥＳ」である場合、本動作は、ステップＳ１０６に進み、ステップＳ１０５において「ＮＯ」である場合、本動作は、ステップＳ１０７に進む。
【００８６】
ステップＳ１０６において、無線基地局ｅＮＢは、Ｆｌａｇに「１」を設定する。
【００８７】
ステップＳ１０７において、無線基地局ｅＮＢは、Ｆｌａｇに「１」が設定されているか否かについて判定する。
【００８８】
ステップＳ１０７において「ＹＥＳ」である場合、本動作は、ステップＳ１０８に進み、ステップＳ１０７において「ＮＯ」である場合、本動作は、終了する。
【００８９】
ステップＳ１０８において、無線基地局ｅＮＢは、各ＰＨＩＣＨグループの優先順位に基づいて、変更対象のＰＨＩＣＨグループを決定する。
【００９０】
ここで、ＰＨＩＣＨリソースの衝突が発生しているＰＨＩＣＨグループの優先順位を「１」とし、最もＰＨＩＣＨシーケンスの使用数が多く、かつ、ＰＨＩＣＨシーケンスのＩ/Ｑ多重が行われているＰＨＩＣＨグループの優先順位を「２」とし、最もＰＨＩＣＨシーケンスの使用数が多く、かつ、ＰＨＩＣＨシーケンスのＩ/Ｑ多重が行われていないＰＨＩＣＨグループの優先順位を「３」とする。
【００９１】
また、無線基地局ｅＮＢは、最も高い優先順位のＰＨＩＣＨグループが複数存在する場合、送信電力の合計値が最も大きいＰＨＩＣＨグループを、変更対象のＰＨＩＣＨグループとしてもよい。
【００９２】
ここで、無線基地局ｅＮＢは、最も高い優先順位のＰＨＩＣＨグループが複数存在し、かつ、送信電力の合計値が最も大きいＰＨＩＣＨグループが複数存在する場合には、最もＰＨＩＣＨグループ番号が小さいＰＨＩＣＨグループを、変更対象のＰＨＩＣＨグループとしてもよい。
【００９３】
ステップＳ１０９において、無線基地局ｅＮＢは、変更先のＰＨＩＣＨグループを決定する。
【００９４】
例えば、無線基地局ｅＮＢは、ＰＨＩＣＨシーケンスの使用数が最も小さいＰＨＩＣＨグループを、変更先のＰＨＩＣＨグループとしてもよい。
【００９５】
ここで、無線基地局ｅＮＢは、変更対象のＰＨＩＣＨグループ内のＰＨＩＣＨシーケンスを変更した場合に、既に他のＰＨＩＣＨに割り当てられているＰＨＩＣＨシーケンスへの衝突（ＰＨＩＣＨリソースの衝突）が発生するＰＨＩＣＨグループを、上述の変更先のＰＨＩＣＨグループとしなくてもよい。
【００９６】
また、無線基地局ｅＮＢは、変更対象のＰＨＩＣＨグループ内のＰＨＩＣＨシーケンスを変更した場合に、ＰＨＩＣＨシーケンスのＩ/Ｑ多重が発生するＰＨＩＣＨグループを、上述の変更先のＰＨＩＣＨグループとしなくてもよい。
【００９７】
また、無線基地局ｅＮＢは、ＰＨＩＣＨシーケンスの使用数が最も小さいＰＨＩＣＨグループが複数存在する場合、送信電力の合計値が最も小さいＰＨＩＣＨグループを、変更先のＰＨＩＣＨグループとしてもよい。
【００９８】
さらに、無線基地局ｅＮＢは、ＰＨＩＣＨシーケンスの使用数が最も小さいＰＨＩＣＨグループが複数存在し、かつ、送信電力の合計値が最も小さいＰＨＩＣＨグループが複数存在する場合には、最もＰＨＩＣＨグループ番号が小さいＰＨＩＣＨグループを、変更先のＰＨＩＣＨグループとしてもよい。
【００９９】
ステップＳ１１０において、無線基地局ｅＮＢは、変更対象のＰＨＩＣＨグループから変更先のＰＨＩＣＨグループに、ＰＨＩＣＨリソースを１つ変更する。
【０１００】
ステップＳ１１１において、無線基地局ｅＮＢは、リソース割り当て制御終了判定条件において、条件１又は条件２のいずれかを満たすか否かについて判定する。
【０１０１】
ここで、条件１は、「ＰＨＩＣＨにおけるＰＨＩＣＨシーケンスの使用数が、Ｎｔｍｐ以上であるＰＨＩＣＨグループが存在し、かつ、ＰＨＩＣＨにおけるＰＨＩＣＨシーケンスの使用数が、（Ｎｔｍｐ−２）以下であるＰＨＩＣＨグループが存在し、かつ、変更先のＰＨＩＣＨグループとなることができるＰＨＩＣＨグループが存在すること」である。
【０１０２】
また、条件２は、「ＰＨＩＣＨリソースの衝突が発生しているＰＨＩＣＨグループが存在すること、すなわち、複数のＰＨＩＣＨに同一のＰＨＩＣＨシーケンスが割り当てられているＰＨＩＣＨグループが存在し、かつ、変更先のＰＨＩＣＨグループとなることができるＰＨＩＣＨグループが存在すること」である。
【０１０３】
ステップＳ１１１において「ＹＥＳ」である場合、本動作は、ステップＳ１０７に戻り、ステップＳ１１１において「ＮＯ」である場合、本動作は、ステップＳ１１２に進む。
【０１０４】
ステップＳ１１２において、無線基地局ｅＮＢは、Ｆｌａｇに「０」を設定する。
【０１０５】
（本発明の第１の実施形態に係る移動通信システムの作用・効果）
本発明の第１の実施形態に係る移動通信システムによれば、無線基地局ｅＮＢにおいて、ＰＵＳＣＨに割り当てられたリソースブロックを識別するリソースブロック番号のうちの最も小さいリソースブロック番号及びデフォルトのサイクリックシフトインデックスに基づいて決定されたＰＨＩＣＨリソースを、サイクリックシフトによって変更することによって、上述のＰＨＩＣＨリソースの衝突を回避することができる。
【０１０６】
また、本発明の第１の実施形態に係る移動通信システムによれば、無線基地局ｅＮＢにおいて、各ＰＨＩＣＨグループ内で多数のＰＨＩＣＨシーケンスが使用されている場合には、ＰＵＳＣＨに割り当てられたリソースブロックを識別するリソースブロック番号のうちの最も小さいリソースブロック番号及びデフォルトのサイクリックシフトインデックスに基づいて決定されたＰＨＩＣＨリソースを、サイクリックシフトによって変更することによって、直交コードを用いてＰＨＩＣＨシーケンスが多重されているＰＨＩＣＨグループ内で、コード間の干渉量を減らすことできる。
【０１０７】
また、本発明の第１の実施形態に係る移動通信システムによれば、無線基地局ｅＮＢにおいて、各ＰＨＩＣＨグループ内で多数のＰＨＩＣＨシーケンスが使用されている場合には、ＰＵＳＣＨに割り当てられたリソースブロックを識別するリソースブロック番号のうちの最も小さいリソースブロック番号及びデフォルトのサイクリックシフトインデックスに基づいて決定されたＰＨＩＣＨリソースを、サイクリックシフトによって変更することによって、リソースエレメント内の送信電力を、規定範囲内に収めることができる。
【０１０８】
本発明の第１の実施形態に係る移動通信システムによれば、無線基地局ｅＮＢにおいて、各ＰＨＩＣＨグループ内でＩ/Ｑ多重が行われている場合には、ＰＵＳＣＨに割り当てられたリソースブロックを識別するリソースブロック番号のうちの最も小さいリソースブロック番号及びデフォルトのサイクリックシフトインデックスに基づいて決定されたＰＨＩＣＨリソースを、サイクリックシフトによって変更することによって、Ｉ相からＱ相への、或いは、Ｑ相からＩ相への直交性の崩れによる干渉の影響を低減することができる。
【０１０９】
（変更例１）
本変更例１に係る移動通信システムでは、図１１に示すように、上りデータ信号の再送に用いられるＰＵＳＣＨリソース（すなわち、リソースブロック）は、再送タイミングごとに変更する「ホッピング技術」が適用されていてもよい。
【０１１０】
かかるホッピング技術としては、予め決定されている変更パターンに従って上りデータ信号の再送に用いられるリソースブロックを変更する方法や、上りスケジューリング信号「ＵＬ  ｓｃｈｅｄｕｌｉｎｇ  ｇｒａｎｔ」の送信時に、上りデータ信号の再送に用いられるリソースブロックの変更パターンを通知する方法等が知られている。
【０１１１】
したがって、再送タイミングごとに、ＰＵＳＣＨに割り当てられたリソースブロックを識別するリソースブロック番号のうちの最も小さいリソースブロック番号が変更になる。
【０１１２】
そのため、本変更例１に係る移動通信システムでは、ＰＨＩＣＨリソース割当部１１Ｂは、上りデータ信号の再送に用いられるＰＵＳＣＨリソースにおけるリソースブロックを識別するリソースブロック番号に基づいて、すなわち、再送タイミングごとに変更されるＰＵＳＣＨに割り当てられたリソースブロックを識別するリソースブロック番号のうちの最も小さいリソースブロック番号を考慮して、再送された上りデータ信号に対する送達確認信号を送信するＰＨＩＣＨに、第２周波数方向リソース及び第２コード方向リソースを割り当てるように構成されている。
【０１１３】
すなわち、ＰＨＩＣＨリソース割当部１１Ｂは、当該サブフレーム＃ｎにおいて、ＰＨＩＣＨの送信リソースを決定する際に、サブフレーム＃ｎ＋８で送信されるＰＵＳＣＨに割り当てられたリソースブロックのみを考慮するのではなく、さらに次回の再送タイミングであるサブフレーム＃ｎ＋１６、＃ｎ＋２４，…で送信されるＰＵＳＣＨに割り当てられたリソースブロックを識別するリソースブロック番号のうちの最も小さいリソースブロック番号を考慮して、ＰＨＩＣＨリソースの割り当てを決定する。
【０１１４】
上述の変更パターン、すなわち、考慮する再送回数が大きくなると、ＰＨＩＣＨリソースの衝突が発生する確率が低くなる一方、無線基地局ｅＮＢにおける処理負荷が増大する。
【０１１５】
また、上述の変更パターンが短くすると、移動局ＵＥによる上りデータ信号の再送回数が増えた場合に、ＰＨＩＣＨリソースの衝突が発生する確率が増加するが、移動局ＵＥの処理負荷は少なくなる。
【０１１６】
このように、無線基地局ｅＮＢにおける処理負荷とＰＨＩＣＨリソースの衝突が発生する確率とは、トレードオフの関係にある。
【０１１７】
以上に述べた本実施形態の特徴は、以下のように表現されていてもよい。
【０１１８】
本実施形態の第１の特徴は、無線基地局ｅＮＢであって、移動局ＵＥの上りデータ信号を送信するＰＵＳＣＨ（上りデータ信号チャネル）に、ＰＵＳＣＨリソース（上りデータ信号チャネルリソース）を割り当てるように構成されているＰＵＳＣＨリソース割当部１１Ａと、ＰＵＳＣＨリソースにおけるリソースブロックを識別するリソースブロック番号（上りデータ信号チャネルリソースの識別情報）に基づいて、上りデータ信号に対する送達確認信号を送信するＰＨＩＣＨ（送達確認信号チャネル）に、第１周波数方向リソース及び第１コード方向リソースを割り当てるように構成されているＰＨＩＣＨリソース割当部１１Ｂと、移動局ＵＥに対して、ＰＵＳＣＨリソース（例えば、サブフレーム及びリソースブロック）を通知するように構成されているＰＤＣＣＨ送信部１２とを具備し、ＰＨＩＣＨリソース割当部１１Ｂは、第１周波数方向リソースにおけるコード方向リソースの使用状況が、所定条件を満たす場合に、ＰＨＩＣＨに割り当てる周波数方向リソース及びコード方向リソースを、第１周波数方向リソース及び第１コード方向リソースから、第２周波数方向リソース及び第２コード方向リソースに変更するように構成されていることを要旨とする。
【０１１９】
本実施形態の第１の特徴において、ＰＤＣＣＨ送信部１２は、移動局ＵＥに対して、第２周波数方向リソース及び第２コード方向リソースを通知するように構成されていてもよい。
【０１２０】
本実施形態の第１の特徴において、ＰＨＩＣＨに割り当て可能な周波数方向リソースは、複数のリソースエレメントグループによって構成されているＰＨＩＣＨグループ（送達確認信号チャネルグループ）であり、ＰＨＩＣＨに割り当て可能なコード方向リソースは、ＰＨＩＣＨグループ内の直交シーケンス（例えば、Ｗａｌｓｈ  Ｈａｄａｍａｒｄシーケンス）であり、ＰＨＩＣＨリソース割当部１１Ｂは、ＰＵＳＣＨリソースにおけるリソースブロックを識別するリソースブロック番号に基づいて、ＰＨＩＣＨに、第１ＰＨＩＣＨグループ内の第１直交シーケンスを割り当てるように構成されており、ＰＨＩＣＨリソース割当部１１Ｂは、第１ＰＨＩＣＨグループ内の直交シーケンスの使用状況が、所定条件を満たす場合に、ＰＨＩＣＨに割り当てるＰＨＩＣＨグループ内の直交シーケンスを、第１ＰＨＩＣＨグループ内の第１直交シーケンスから、第２ＰＨＩＣＨグループ内の第２直交シーケンスに変更するように構成されていてもよい。
【０１２１】
本実施形態の第１の特徴において、第１ＰＨＩＣＨグループ内の直交シーケンスの使用数が、所定数以上となった場合に、ＰＨＩＣＨリソース割当部１１Ｂは、ＰＨＩＣＨに割り当てるＰＨＩＣＨグループ及び直交シーケンスを変更するように構成されていてもよい。
【０１２２】
本実施形態の第１の特徴において、第１ＰＨＩＣＨグループ内の第１直交シーケンスが、既に他のＰＨＩＣＨに割り当てられている場合に、ＰＨＩＣＨリソース割当部１１Ｂは、ＰＨＩＣＨに割り当てるＰＨＩＣＨグループ及び直交シーケンスを変更するように構成されていてもよい。
【０１２３】
本実施形態の第１の特徴において、変更対象の第１ＰＨＩＣＨグループ内の第１直交シーケンスが複数存在する場合、ＰＨＩＣＨリソース割当部１１Ｂは、既に他のＰＨＩＣＨに割り当てられている第１ＰＨＩＣＨグループ内の第１直交シーケンスを優先的に変更するように構成されていてもよい。
【０１２４】
本実施形態の第１の特徴において、変更対象の第１ＰＨＩＣＨグループ内の第１直交シーケンスが複数存在する場合、ＰＨＩＣＨリソース割当部１１Ｂは、直交シーケンスの使用数が最も多い第１ＰＨＩＣＨグループ内の第１直交シーケンスを優先的に変更するように構成されていてもよい。
【０１２５】
本実施形態の第１の特徴において、直交シーケンスは、ＰＨＩＣＨグループ内でＩ相及びＱ相に多重可能であり、変更対象の第１ＰＨＩＣＨグループ内の第１直交シーケンスが複数存在する場合、ＰＨＩＣＨリソース割当部１１Ｂは、直交シーケンスがＩ相及びＱ相に多重されている第１ＰＨＩＣＨグループ内の第１直交シーケンスを優先的に変更するように構成されていてもよい。
【０１２６】
本実施形態の第１の特徴において、変更対象の第１ＰＨＩＣＨグループ内の第１直交シーケンスが複数存在する場合、ＰＨＩＣＨリソース割当部は、送信電力の合計値が最も大きい第１ＰＨＩＣＨグループ内の第１直交シーケンスを優先的に変更するように構成されていてもよい。
【０１２７】
本実施形態の第１の特徴において、ＰＨＩＣＨリソース割当部１１Ｂは、送信電力の合計値が最も小さいＰＨＩＣＨグループを、第２ＰＨＩＣＨグループとするように構成されていてもよい。
【０１２８】
本実施形態の第１の特徴において、ＰＨＩＣＨリソース割当部１１Ｂは、第１ＰＨＩＣＨグループ内の第１直交シーケンスを変更した場合に、直交シーケンスのＩ相及びＱ相への多重が発生するＰＨＩＣＨグループを、第２ＰＨＩＣＨグループとしないように構成されていてもよい。
【０１２９】
本実施形態の第１の特徴において、ＰＨＩＣＨリソース割当部１１Ｂは、第１ＰＨＩＣＨグループ内の第１直交シーケンスを変更した場合に、既に他のＰＨＩＣＨに割り当てられている直交シーケンスへの衝突が発生するＰＨＩＣＨグループを、第２ＰＨＩＣＨグループとしないように構成されていてもよい。
【０１３０】
本実施形態の第１の特徴において、ＰＨＩＣＨリソース割当部１１Ｂは、上りデータ信号の再送に用いられるＰＵＳＣＨリソースにおけるリソースブロックを識別するリソースブロック番号に基づいて、再送された上りデータ信号に対する送達確認信号を送信するＰＨＩＣＨに、第１周波数方向リソース及び第１コード方向リソースを割り当てるように構成されていてもよい。
【０１３１】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１３２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１３４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３５】
ＵＥ…移動局
ｅＮＢ…無線基地局
１１Ａ…ＰＵＳＣＨリソース割当部
１１Ｂ…ＰＨＩＣＨリソース割当部
１２…ＰＤＣＣＨ送信部
１３…ＰＵＳＣＨ受信部
１４…ＰＨＩＣＨ送信部
【図１】
2010212855.tif 000006
【図２】
2010212855.tif 000007
【図３】
2010212855.tif 000008
【図４】
2010212855.tif 000009
【図５】
2010212855.tif 000010
【図６】
2010212855.tif 000011
【図７】
2010212855.tif 000012
【図８】
2010212855.tif 000013
【図９】
2010212855.tif 000014
【図１０】
2010212855.tif 000015
【図１１】
2010212855.tif 000016